(57)【特許請求の範囲】
【請求項１】
表示部に画像を表示することが可能な携帯電子機器であって、
第１の操作方法および第２の操作方法で操作可能なズーム操作部材と、
選択操作部材の操作に応じて、前記表示部に表示されるメニュー画面に含まれる当該携帯電子機器に関する複数の設定項目のうちいずれかの設定項目を選択する選択手段と、
前記メニュー画面が表示されている際に前記第１の操作方法で前記ズーム操作部材が操作されることに応じて前記選択手段で選択された設定項目に関するガイダンス情報を表示するように制御し、前記ガイダンス情報が表示されている際に前記第２の操作方法で前記ズーム操作部材が操作されることに応じて前記ガイダンス情報を非表示とするように制御する制御手段と、
前記メニュー画面が表示されている際に決定操作部材が操作されることに応じて前記選択手段で選択された設定項目に関する設定を行うように制御する設定手段と、
前記表示部に画像が表示されている際に前記第１の操作方法で前記ズーム操作部材が操作されることに応じて該画像を電子ズームで拡大し、前記表示部に画像が表示されている際に前記第２の操作方法で前記ズーム操作部材が操作されることに応じて該画像を電子ズームで縮小するように制御する電子ズーム制御手段
とを有することを特徴とする携帯電子機器。
【請求項２】
前記制御手段は、前記表示部に前記ガイダンス情報が表示されている場合には、前記第１の操作方法で前記ズーム操作部材が操作されることに応じて、表示している前記ガイダンス情報を前記設定項目に関してより詳細な内容を表す詳細ガイダンス情報に更新し、
前記表示部に前記詳細ガイダンス情報が表示されている場合には、前記第２の操作方法で前記ズーム操作部材が操作されることに応じて、表示している前記ガイダンス情報を前記設定項目に関してより簡易な内容を表すガイダンス情報に更新するように制御することを特徴とする請求項１に記載の携帯電子機器。
【請求項３】
表示部に画像を表示することが可能な携帯電子機器であって、
第１の操作方法および第２の操作方法で操作可能なズーム操作部材と、
選択操作部材の操作に応じて、前記表示部に表示されるメニュー画面に含まれる当該携帯電子機器に関する複数の設定項目のうちいずれかの設定項目を選択する選択手段と、
前記表示部に前記選択手段で選択された設定項目に関するガイダンス情報が表示されている場合には、前記第１の操作方法で前記ズーム操作部材が操作されることに応じて、表示している前記ガイダンス情報を前記設定項目に関してより詳細な内容を表すガイダンス情報に更新し、前記表示部に詳細な前記ガイダンス情報が表示されている場合には、前記第２の操作方法で前記ズーム操作部材が操作されることに応じて、表示している前記ガイダンス情報を前記設定項目に関してより簡易な内容を表すガイダンス情報に更新するように制御する制御手段と、
前記メニュー画面が表示されている際に決定操作部材が操作されることに応じて前記選択手段で選択された設定項目に関する設定を行うように制御する設定手段と、
前記表示部に画像が表示されている際に前記第１の操作方法で前記ズーム操作部材が操作されることに応じて該画像を電子ズームで拡大し、前記表示部に画像が表示されている際に前記第２の操作方法で前記ズーム操作部材が操作されることに応じて該画像を電子ズームで縮小するように制御する電子ズーム制御手段
とを有することを特徴とする携帯電子機器。
【請求項４】
前記選択操作部材は、一対の方向キーであることを特徴とする請求項１乃至３のいずれか１項に記載の形態電子機器。
【請求項５】
撮像素子と、
前記撮像素子上に結像する像を拡大および縮小するための変倍レンズと、
前記第１の操作方法と同じ操作方法で前記ズーム操作部材が操作されることに応じて前記変倍レンズを望遠側に駆動し、前記第２の操作方法と同じ操作方法で前記ズーム操作部材が操作されることに応じて前記変倍レンズを広角側に駆動するように制御する光学ズーム制御手段と
をさらに有することを特徴とする請求項１乃至４のいずれか１項に記載の携帯電子機器。
【請求項６】
前記設定項目は、前記撮像手段による撮像に関する設定項目であることを特徴とする請求項５に記載の携帯電子機器。
【請求項７】
表示部に画像を表示することが可能であり、第１の操作方法および第２の操作方法で操作可能なズーム操作部材と、決定操作部材とを有する携帯電子機器の制御方法であって、
選択操作部材の操作に応じて、前記表示部に表示されるメニュー画面に含まれる当該携帯電子機器に関する複数の設定項目のうちいずれかの設定項目を選択する選択ステップと、
前記メニュー画面が表示されている際に前記第１の操作方法で前記ズーム操作部材が操作されることに応じて前記選択ステップで選択された設定項目に関する前記ガイダンス情報を表示するように制御し、前記ガイダンス情報が表示されている際に前記第２の操作方法で前記ズーム操作部材が操作されることに応じて前記ガイダンス情報を非表示とするように制御する制御ステップと、
前記メニュー画面が表示されている際に前記決定操作部材が操作されることに応じて前記選択ステップで選択された設定項目に関する設定を行うように制御する設定ステップと、
前記表示部に画像が表示されている際に前記第１の操作方法で前記ズーム操作部材が操作されることに応じて該画像を電子ズームで拡大し、前記表示部に画像が表示されている際に前記第２の操作方法で前記ズーム操作部材が操作されることに応じて該画像を電子ズームで縮小するように制御する電子ズーム制御ステップ
とを有することを特徴とする携帯電子機器の制御方法。
【請求項８】
表示部に画像を表示することが可能であり、第１の操作方法および第２の操作方法で操作可能なズーム操作部材と、決定操作部材とを有する携帯電子機器の制御方法であって、
選択操作部材の操作に応じて、前記表示部に表示されるメニュー画面に含まれる当該携帯電子機器に関する複数の設定項目のうちいずれかの設定項目を選択する選択ステップと、
前記表示部に前記選択ステップで選択された設定項目に関するガイダンス情報が表示されている場合には、前記第１の操作方法で前記ズーム操作部材が操作されることに応じて、表示している前記ガイダンス情報を前記設定項目に関してより詳細な内容を表すガイダンス情報に更新し、前記表示部に詳細な前記ガイダンス情報が表示されている場合には、前記第２の操作方法で前記ズーム操作部材が操作されることに応じて、表示している前記ガイダンス情報を前記設定項目に関してより簡易な内容を表すガイダンス情報に更新するように制御するように制御する制御ステップと、
前記メニュー画面が表示されている際に決定操作部材が操作されることに応じて前記選択ステップで選択された設定項目に関する設定を行うように制御する設定ステップと、
前記表示部に画像が表示されている際に前記第１の操作方法で前記ズーム操作部材が操作されることに応じて該画像を電子ズームで拡大し、前記表示部に画像が表示されている際に前記第２の操作方法で前記ズーム操作部材が操作されることに応じて該画像を電子ズームで縮小するように制御する電子ズーム制御ステップ
とを有することを特徴とする携帯電子機器の制御方法。
【請求項９】
表示部に画像を表示することが可能であり、第１の操作方法および第２の操作方法で操作可能なズーム操作部材と、決定操作部材とを有するコンピュータを、
選択操作部材の操作に応じて、前記表示部に表示されるメニュー画面に含まれる当該携帯電子機器に関する複数の設定項目のうちいずれかの設定項目を選択する選択手段、
前記メニュー画面が表示されている際に前記第１の操作方法で前記ズーム操作部材が操作されることに応じて前記選択手段で選択された設定項目に関するガイダンス情報を表示するように制御し、前記ガイダンス情報が表示されている際に前記第２の操作方法で前記ズーム操作部材が操作されることに応じて前記ガイダンス情報を非表示とするように制御する制御手段、
前記メニュー画面が表示されている際に決定操作部材が操作されることに応じて前記選択手段で選択された設定項目に関する設定を行うように制御する設定手段、
前記表示部に画像が表示されている際に前記第１の操作方法で前記ズーム操作部材が操作されることに応じて該画像を電子ズームで拡大し、前記表示部に画像が表示されている際に前記第２の操作方法で前記ズーム操作部材が操作されることに応じて該画像を電子ズームで縮小するように制御する電子ズーム制御手段
として機能させるためのプログラム。
【請求項１０】
表示部に画像を表示することが可能であり、第１の操作方法および第２の操作方法で操作可能なズーム操作部材と、決定操作部材とを有するコンピュータを、
選択操作部材の操作に応じて、前記表示部に表示されるメニュー画面に含まれる当該携帯電子機器に関する複数の設定項目のうちいずれかの設定項目を選択する選択手段、
前記メニュー画面が表示されている際に前記第１の操作方法で前記ズーム操作部材が操作されることに応じて前記選択手段で選択された設定項目に関するガイダンス情報を表示するように制御し、前記ガイダンス情報が表示されている際に前記第２の操作方法で前記ズーム操作部材が操作されることに応じて前記ガイダンス情報を非表示とするように制御する制御手段、
前記メニュー画面が表示されている際に決定操作部材が操作されることに応じて前記選択手段で選択された設定項目に関する設定を行うように制御する設定手段、
前記表示部に画像が表示されている際に前記第１の操作方法で前記ズーム操作部材が操作されることに応じて該画像を電子ズームで拡大し、前記表示部に画像が表示されている際に前記第２の操作方法で前記ズーム操作部材が操作されることに応じて該画像を電子ズームで縮小するように制御する電子ズーム制御手段
として機能させるためのプログラム。
【請求項１１】
表示部に画像を表示することが可能であり、第１の操作方法および第２の操作方法で操作可能なズーム操作部材と、決定操作部材とを有するコンピュータを、
選択操作部材の操作に応じて、前記表示部に表示されるメニュー画面に含まれる当該携帯電子機器に関する複数の設定項目のうちいずれかの設定項目を選択する選択手段、
前記表示部に前記選択手段で選択された設定項目に関するガイダンス情報が表示されている場合には、前記第１の操作方法で前記ズーム操作部材が操作されることに応じて、表示している前記ガイダンス情報を前記設定項目に関してより詳細な内容を表すガイダンス情報に更新し、前記表示部に詳細な前記ガイダンス情報が表示されている場合には、前記第２の操作方法で前記ズーム操作部材が操作されることに応じて、表示している前記ガイダンス情報を前記設定項目に関してより簡易な内容を表すガイダンス情報に更新するように制御する制御手段、
前記メニュー画面が表示されている際に決定操作部材が操作されることに応じて前記選択手段で選択された設定項目に関する設定を行うように制御する設定手段、
前記表示部に画像が表示されている際に前記第１の操作方法で前記ズーム操作部材が操作されることに応じて該画像を電子ズームで拡大し、前記表示部に画像が表示されている際に前記第２の操作方法で前記ズーム操作部材が操作されることに応じて該画像を電子ズームで縮小するように制御する電子ズーム制御手段
として機能させるためのプログラムを記録したコンピュータが読み取り可能な記録媒体。
【請求項１２】
表示部に画像を表示することが可能であり、第１の操作方法および第２の操作方法で操作可能なズーム操作部材と、決定操作部材とを有するコンピュータを、
選択操作部材の操作に応じて、前記表示部に表示されるメニュー画面に含まれる当該携帯電子機器に関する複数の設定項目のうちいずれかの設定項目を選択する選択手段、
前記表示部に前記選択手段で選択された設定項目に関するガイダンス情報が表示されている場合には、前記第１の操作方法で前記ズーム操作部材が操作されることに応じて、表示している前記ガイダンス情報を前記設定項目に関してより詳細な内容を表すガイダンス情報に更新し、前記表示部に詳細な前記ガイダンス情報が表示されている場合には、前記第２の操作方法で前記ズーム操作部材が操作されることに応じて、表示している前記ガイダンス情報を前記設定項目に関してより簡易な内容を表すガイダンス情報に更新するように制御する制御手段、
前記メニュー画面が表示されている際に決定操作部材が操作されることに応じて前記選択手段で選択された設定項目に関する設定を行うように制御する設定手段、
前記表示部に画像が表示されている際に前記第１の操作方法で前記ズーム操作部材が操作されることに応じて該画像を電子ズームで拡大し、前記表示部に画像が表示されている際に前記第２の操作方法で前記ズーム操作部材が操作されることに応じて該画像を電子ズームで縮小するように制御する電子ズーム制御手段
として機能させるためのプログラムを記録したコンピュータが読み取り可能な記録媒体。
【発明の詳細な説明】
【技術分野】
【０００１】
本発明は、撮像装置や映像再生装置を始めとした画像の撮像あるいは再生が可能な電子機器における、電子機器の設定情報の表示技術に関する。
【背景技術】
【０００２】
従来、電子機器に表示される情報の量を増やす方法として、表示する文字や画像の大きさを状況に応じて変えるもの（特許文献１参照）が知られている。また文字表示については文字の大きさをユーザーが選択した範囲についてのみ行う制御方法も知られている（特許文献２参照）。
【０００３】
一方で、電子機器の操作マニュアルなどの電子化も行われており、ＣＤ−ＲＯＭを始めとする電子媒体での配布やインターネット経由での配布も行われている。
特許文献３では、ディスプレイに表示されている画像を縮尺するズーム・アウト（広域表示）機能を割り付けたナンバー・キーと、ディスプレイに表示されている画像を拡大するズーム・イン（詳細表示）機能を割り付けたナンバー・キーとを有し、それぞれのナンバー・キーへの操作に応じて、ディスプレイに表示されている画像を段階的にズーム・アウトまたはズーム・インする携帯電子機器が提案されている。
特許文献４では、印刷設定画面においてユーザーが選択した項目及び内容に応じてユーザーのレベルを設定し、レベルに応じて定められた内容の難易度、詳細化の程度でヘルプメッセージを表示することが提案されている。
【特許文献１】特開２００１−１３４２６２号公報（第８頁  図６、第９頁    図７）
【特許文献２】特開２０００−２８４７７４号公報（第５頁  図４、図５）
【特許文献３】特開２００３−０６７１２０号公報
【特許文献４】特開２００１−２８２４０９号公報
【発明の開示】
【発明が解決しようとする課題】
【０００４】
近年、電子機器の高機能化、多機能化が求められている。ユーザーがこうした電子機器を操作する場合、様々な機能の使い方や説明などのガイダンス情報が必要であるが、電子機器上にこれらの情報を表示することで、適切な操作を行うための情報をユーザーに提供することが可能である。
【０００５】
その一方で、携帯機器をはじめとした電子機器の小型化、軽量化がこれまで以上に求められており、このような電子機器に備え付けられる表示装置は小型となる。前述した技術は、限られた画面サイズの中でいかに多くの情報をより見やすくユーザーに提供するかについてなされたものである。
【０００６】
しかし、機器の機能設定を行うメニュー画面などに比べ、取り扱いや使い方の説明の画面は情報量が多い。そのため、こうしたガイダンス画面の表示を製品の表示装置を用いて行う場合、前述のように文字や画像情報のリサイズにより一画面に多くの情報を表示可能であるが、限られた画面の中では表示情報が小さくなってしまい視認性が悪くなってしまうという問題点が挙げられる。また、ガイダンス画面の操作する操作手段を別に設けると、装置の小型化や低コスト化が達成できないという問題も生じる。
【０００７】
本発明は、このような問題を鑑みられてなされたものであり、専用の操作手段を設けることなく、設定画面におけるガイダンスの表示切替を限られた表示領域の中で直感的に行える携帯電子機器、携帯電子機器の制御方法、及びプログラムを提供することを目的とする。
【課題を解決するための手段】
【０００８】
上記目的を達成するために、本発明の請求項１に記載の携帯電子機器は、
表示部に画像を表示することが可能な携帯電子機器であって、
第１の操作方法および第２の操作方法で操作可能なズーム操作部材と、
選択操作部材の操作に応じて、前記表示部に表示されるメニュー画面に含まれる当該携帯電子機器に関する複数の設定項目のうちいずれかの設定項目を選択する選択手段と、
前記メニュー画面が表示されている際に前記第１の操作方法で前記ズーム操作部材が操作されることに応じて前記選択手段で選択された設定項目に関するガイダンス情報を表示するように制御し、前記ガイダンス情報が表示されている際に前記第２の操作方法で前記ズーム操作部材が操作されることに応じて前記ガイダンス情報を非表示とするように制御する制御手段と、
前記メニュー画面が表示されている際に決定操作部材が操作されることに応じて前記選択手段で選択された設定項目に関する設定を行うように制御する設定手段と、
前記表示部に画像が表示されている際に前記第１の操作方法で前記ズーム操作部材が操作されることに応じて該画像を電子ズームで拡大し、前記表示部に画像が表示されている際に前記第２の操作方法で前記ズーム操作部材が操作されることに応じて該画像を電子ズームで縮小するように制御する電子ズーム制御手段
とを有することを特徴とする。
また、本発明の請求項３に記載の携帯電子機器は、
表示部に画像を表示することが可能な携帯電子機器であって、
第１の操作方法および第２の操作方法で操作可能なズーム操作部材と、
選択操作部材の操作に応じて、前記表示部に表示されるメニュー画面に含まれる当該携帯電子機器に関する複数の設定項目のうちいずれかの設定項目を選択する選択手段と、
前記表示部に前記選択手段で選択された設定項目に関するガイダンス情報が表示されている場合には、前記第１の操作方法で前記ズーム操作部材が操作されることに応じて、表示している前記ガイダンス情報を前記設定項目に関してより詳細な内容を表すガイダンス情報に更新し、前記表示部に詳細な前記ガイダンス情報が表示されている場合には、前記第２の操作方法で前記ズーム操作部材が操作されることに応じて、表示している前記ガイダンス情報を前記設定項目に関してより簡易な内容を表すガイダンス情報に更新するように制御する制御手段と、
前記メニュー画面が表示されている際に決定操作部材が操作されることに応じて前記選択手段で選択された設定項目に関する設定を行うように制御する設定手段と、
前記表示部に画像が表示されている際に前記第１の操作方法で前記ズーム操作部材が操作されることに応じて該画像を電子ズームで拡大し、前記表示部に画像が表示されている際に前記第２の操作方法で前記ズーム操作部材が操作されることに応じて該画像を電子ズームで縮小するように制御する電子ズーム制御手段
とを有することを特徴とする。
【発明の効果】
【００１１】
本発明によれば、専用の操作手段を設けることなく、設定画面におけるガイダンスの表示切替を限られた表示領域の中で直感的に行える。
【発明を実施するための最良の形態】
【００１２】
以下、図面を参照して本発明の実施の形態を説明する。
【００１３】
（第１の実施形態）
図１は、本発明を適用可能な、光学および電子ズーム機能を備えたデジタルカメラの構成を示す図である。
【００１４】
図１のデジタルカメラは結像レンズ１０１、変倍レンズ１０２、メカニカルシャッター１０４等などから成る光学部、撮像素子１０６、ＴＧ１０９、ＣＤＳ／ＡＧＣ１０７、ＡＤ変換器１０８などから成る撮像部、カメラ信号処理回路１１１、メモリコントローラ１１２、メモリ１１３、メモリメディアインターフェース回路１１６などから成るカメラ信号処理部、ビデオ信号処理１１８、ＯＳＤ回路１１９、表示装置１２０から成る表示部、およびシステムコントローラ１２１、入力キー１２２、１２３、１２４、１２５、１２６から成るシステム制御部の各ブロックで構成されている。なお、撮影画像はカードメディア１１７へ記録される。カードメディア１１７は、着脱可能な記録媒体であり、ＳＤ（Ｓｅｃｕｒｅｄ  Ｄｉｇｉｔａｌ）カード、ＣＦ（Ｃｏｍｐａｃｔ  Ｆｌａｓｈ）カード等が挙げられるが、これらに限定されるものではない。
【００１５】
システムコントローラ１２１は入力キー１２２、１２３、１２４、１２５、１２６の状態を判断し、その結果に応じて、光学部、撮像部、カメラ信号処理部、表示部へ制御信号を出力する。各ブロックは、制御信号の指示に従い、画像の撮像、画像信号処理、映像信号処理などを行い、撮像結果をビデオ信号として表示装置１２０あるいは外部出力する。各ブロックの動作について、詳細を以下に述べる。
【００１６】
結像レンズ１０１で結象された光学像は、撮像素子１０６で光電変換される。撮像素子１０６はＴＧ１０９の制御により撮像素子ドライバ１１０から出力される駆動信号で動作する。撮像素子１０６から出力された信号はＣＤＳ／ＡＧＣ１０７で信号のサンプリングおよび利得制御が行われる。サンプリングされた信号はＡＤ変換器１０８でデジタルデータに変換され、カメラ信号処理回路１１１内で画像処理が行い、映像信号として出力される。
【００１７】
カメラ信号処理回路１１１から出力された映像信号はビデオ信号処理回路１１８へ入力する。一方、ＯＳＤ回路１１９はシステムコントローラ１２１の指示に従い、文字や画像から成る各種情報画面を構成する表示信号をビデオ信号処理回路１１８へ出力する。ビデオ信号処理回路１１８は得られた映像信号と表示信号を重畳し、ビデオ信号として表示装置１２０と外部出力端子へ出力する。表示装置１２０はディスプレイ部とディスプレイドライバから成り、入力されたビデオ信号をディスプレイドライバはディスプレイ部へ出力し、映像を表示する。
【００１８】
デジタルカメラはモード切替スイッチ１２２の操作により静止画像の記録を行うモード（以下記録モード）と記録画像の再生を行うモード（以下再生モード）に動作モードを切り替える。モード切替スイッチ１２２の状態から、システムコントローラ１２１が記録モードを検出すると、光学部、撮像部、カメラ信号処理部が上述にある動作をし、被写体を撮像する。記録モードではトリガーキー１２３、ズームキー１２４の操作が可能であり、各キーの操作により、カードメディア１１７への静止画像データの記録、光学および電子ズームを行う。
【００１９】
一方、再生モードではズームキー１２４の操作が可能である。キーの操作により、カードメディア１１７から読み出され再生されている静止画像データの拡大処理を行う。以下、記録モードにおけるトリガーキー１２３、ズームキー１２４の操作時の動作について説明する。
【００２０】
記録モードでトリガーキー１２３が操作されると、まずシステムコントローラ１２１は、メカニカルシャッター１０４を駆動して撮像素子１０６を遮光する。遮光完了後、所定のタイミングで撮像素子１０６を駆動し、光電変換された信号を読み出す。読み出した信号は撮像部での処理が行われ、カメラ信号処理回路１１１へ入力される。カメラ信号処理回路１１１、メモリコントローラ１１２、メモリ１１３、リサイズ回路１１４、圧縮伸張処理回路１１５、メモリメディアインターフェース回路１１６から成るカメラ信号処理部は、システムコントローラ１２１により所定のタイミングで制御されている。取り込まれた撮影画像は、カメラ信号処理回路１１１で画像処理を行った後、メモリコントローラ１１２を介し、一時記憶回路であるメモリ１１３に記憶される。メモリ１１３内の撮影画像は所定のタイミングで読み出される。読み出された画像データは、リサイズ回路１１４における所定の画像サイズへの拡大・縮小処理、画像圧縮伸張回路１１５における、ＪＰＥＧ形式のような所定の画像フォーマットへの圧縮処理がされる。圧縮されたデータは、メモリメディア１１７へのデータの読み書きを制御するカードＩ／Ｆ回路１１６を介して、外部記憶媒体であるカードメディア１１７へ書き出される。
【００２１】
ズームキー１２４の信号を検出したシステムコントローラ１２１は、画角変倍制御を行う。画角変倍制御には、レンズドライバ回路１０３により変倍レンズ１０２を所定の位置へ駆動することで撮像素子１０６上に結像する像の拡大、縮小を行う光学ズームがある。また、リサイズ回路１１４により、画像データの拡大率を可変させることで、拡大、縮小を行う電子ズームもある。本実施形態では、光学ズームが可能であれば光学ズーム制御を優先して行う。変倍レンズ１０２が望遠端に達したことを検出し、光学ズームが不可能である場合は、電子ズームによる画角変倍制御に切り替える。
【００２２】
次に、再生モードにおけるズームキー１２５の操作時の動作について説明する。まず、再生モードにデジタルカメラのモードが切り替わると、システムコントローラ１２１はメモリメディア１１７に記録されている所定の画像データの再生表示をカメラ信号処理部へ指示する。カードＩ／Ｆ回路１１６は、カードメディア１１７から画像データを読み出し、そのデータをメモリ１１３へ書き込む。メモリ１１３内にある画像データは画像圧縮伸張回路１１５での伸張処理、リサイズ回路１１４での拡大・縮小処理を行い、カメラ信号処理回路１１０へ出力される。カメラ信号処理回路１１１では映像信号を出力する。出力された映像信号は表示部へ入力され、読み込んだ画像データが表示装置１２０に表示される。
【００２３】
リサイズ回路１１４は、読み込んだ画像データが表示装置で適切な大きさで表示されるように拡大・縮小処理を行う。ここで、画像データの解像度が、表示装置のディスプレイ装置の解像度に比べ高い場合、再生モードでは表示装置に合わせた縮小表示となる。そのため、記録画像の細部が再生されない。そのため、再生画像に対し、拡大処理を行うことで、画像の細部の確認が可能となる。
【００２４】
再生モードにおける拡大処理は、上述したメモリメディア１１７にある画像データの表示が完了した後、ズームキー１２４の操作に応じ行う。以下、再生モードでの拡大処理について説明する。
【００２５】
ズームキー１２４が操作されたことをシステムコントローラ１２１が検出すると、システムコントローラ１２１はリサイズ回路１１４に再生中の画像データの拡大率情報を出力する。リサイズ回路１１４は拡大率情報に従い、メモリ１１３に伸張済みの画像データに対し、拡大・縮小処理を行う。ズームキー１２４が望遠側に操作された場合は拡大処理、広角側に操作された場合は縮小処理を行う。拡大・縮小処理された画像データは、カメラ信号処理回路１１１と表示部を介し、表示される。
【００２６】
本実施形態におけるデジタルカメラは、動作や操作に関する各種パラメータの設定を表示装置上に表示されるメニュー画面上で行う。メニュー画面はメニューキー１２５を操作することで表示され、その画面は複数の階層で構成されている。以下、メニュー画面の制御について、図１および図２を用い説明する。
【００２７】
メニュー画面はメニューキー１２５のトグル動作で表示、非表示となる。第一の実施形態の記録モードにおけるメニュー画面を図２に示す。メニューキー１２５操作でメニュー画面が表示されるとメインメニュー画面２０１が表示される。メインメニュー画面２０１では、カメラ設定やシステム設定と言った、階層の最上位の項目を一覧表示している。
【００２８】
各階層のメニュー画面に表示されている項目の選択、実行は操作キー１２６を用いる。操作キー１２６は選択の決定、実行を行う決定キー１２６ａ、項目の選択を行う二つの選択キー１２６ｂ、１２６ｃで構成されている。また、選択されているメニュー項目は項目を示す領域を２０１ａのようなフレーム表示、または表示色の変更等による視覚的に強調した表示としている。
【００２９】
メインメニュー画面２０１で選択キー１２６ｂ、１２６ｃで選択、決定キー１２６ａにより項目を決定すると、図２ｂの画面に示すサブメニュー画面２０２となる。サブメニュー画面２０２はメインメニュー画面２０１のカメラ設定を選択した場合の図である。サブメニュー画面２０２には変更可能な設定項目と現在設定されているパラメータの一覧が表示される。サブメニュー画面２０２で、操作キー１２６を操作し、パラメータを変更したい項目を選択、決定すると、パラメータ画面２０３となる。パラメータ画面２０３で、操作キー１２６を操作し、パラメータを選択、決定することで、選択されたパラメータがデジタルカメラの動作、操作に反映される。
【００３０】
近年のデジタルカメラの高機能化、多機能化は、メニュー画面内に表示される項目数を増加させる要因の一つとなっている。また、メニュー画面内に一度に表示可能な情報量には上限があるため、項目の名称が略語である場合、ユーザーにとっては判りづらい場合もある。そのためユーザーがメニュー画面を見た場合に、一覧表示されている項目が、いったい何であるのか、どういったことが設定できるのか、また、現時点で選択している項目がユーザー自身が設定したい内容であるのか、判りづらい。
【００３１】
本実施形態では、メニュー画面の表示を行っている場合に、ズームキー１２４を操作することで、選択されているメニュー項目に関するガイダンス情報表示の制御を行う。さらに詳細度の異なるガイダンス情報の選択が可能な表示制御を行う。ガイダンス画面２０４、２０５を用い、以下説明する。
【００３２】
サブメニュー画面２０２は撮影におけるシャッター速度の設定が操作キー１２６により選択されている状態である。この状態でズームキー１２４が望遠側に操作されたことをシステムコントローラ１２１が検出すると、システムコントローラ１２１は最も詳細度の低いガイダンス情報の表示の制御を行う。このときの画面はガイダンス画面２０４となる。ガイダンス画面では、ガイダンス画面領域２０４ｂに示す領域に選択項目に関する情報を表示する。
【００３３】
この状態でシステムコントローラ１２１がズームキー１２４が広角側に操作されたことを検出すると、ガイダンス情報の表示を終了しサブメニュー画面２０２に戻る。一方、望遠側に操作されたことを検出すると、一段階高い詳細度のガイダンス情報の表示を行う。このときガイダンス画面２０５が表示される。
【００３４】
以下、ガイダンス画面表示における、システムコントローラ１２１の制御について、図３のフローチャートを用い説明する。
【００３５】
ステップＳ３０１でまず、ズームキーが操作されたか否かを検出する。ズームキーが所定期間以上操作された場合はステップＳ３０２へ進み、未操作または所定期間未満の操作であれば現状の表示状態を保持し終了する。
【００３６】
ステップＳ３０２では、ズームキーが望遠あるいは広角のいずれの側に操作されたかを検出する。望遠側（Ｔｅｌｅ）に操作された場合はステップＳ３０３へ、広角側（Ｗｉｄｅ）へ操作された場合はステップＳ３０６へ進む。
【００３７】
ステップＳ３０３では、ガイダンス画面の詳細度を示すカウンタのインクリメントを行い、ステップＳ３０４へ進む。
【００３８】
ステップＳ３０４では、ステップＳ３０３でインクリメントしたカウンタの値と現時点で選択されている項目におけるガイダンス情報の詳細度の上限値とを比較する。比較した結果、カウンタの値が詳細度の上限値より大きい場合は、それ以上の詳細度のガイダンス画面の表示ができないため、現状の表示状態を保持し終了する。カウンタの値が詳細度の上限値以下であれば、ステップＳ３０５へ進む。
【００３９】
ステップＳ３０５では、カウンタの値に対応したガイダンス画面の表示データの生成を行い、生成した表示データへの画面更新の指示をＯＳＤ回路１１９に出力、終了する。また、この時、ガイダンス画面表示中であることを示す情報を生成する。
【００４０】
ステップＳ３０６では、ガイダンス画面表示中であるか否かを判断する。非表示の場合は、ガイダンス画面のない通常のメニュー画面であるため、現状の表示状態を保持し終了する。表示中の場合は、ステップＳ３０７へ進む。
【００４１】
ステップＳ３０７では、表示中のガイダンス画面を終了し、通常のメニュー画面表示の表示データの生成を行い、生成した表示データへの画面更新の指示をＯＳＤ回路１１９に出力し、ステップＳ３０８へ進む。また、この時、ガイダンス画面非表示であることを示す情報を生成する。
【００４２】
ステップＳ３０８では、ガイダンス画面の詳細度を示すカウンタの値の初期化し、現在選択されているメニュー項目において最も小さい詳細度を示す値とし、終了する。
【００４３】
本実施形態によれば、メニュー画面に表示される項目について、本体の表示装置に表示される画面を通じて、ユーザーの知識や必要度に応じた適切な詳細度のガイダンス情報を得ることができる。これらのガイダンス画面は、記録モードや再生モードで使用する拡大・縮小処理に用いるズームキーを用い操作することで、ガイダンス表示のための操作スイッチを追加する必要がなく、コストや本体サイズに影響を与えることがない。また、ズームキーの望遠側への操作は記録時の被写体や再生画像の拡大をする処理となる。そこでガイダンス表示においても、その内容を拡大する意味で、望遠側への操作でガイダンス画面の詳細度を上げている。そのため、ユーザーが直感的に操作できるインターフェースを提供している。
【００４４】
本実施例におけるガイダンス画面の制御は、デジタルカメラへの利用にとどまらず、例えば、ＰＤＡ（Ｐｅｒｓｏｎａｌ  Ｄｉｇｉｔａｌ  Ａｓｓｉｓｔａｎｃｅ）や携帯電話などの小型の携帯端末に対しても有効である。このような携帯端末では、デジタルカメラ以上に小型化と多機能化が進んでおり、画像の拡大・縮小の可能な記録・再生機能が付加されている。そのため、キーＳＷの追加を行うことなく、本体の小型化を維持しつつ、ガイダンス画面の制御を行うことが可能となる。
【００４５】
（第２の実施形態）
本実施形態である光学および電子ズーム機能を備えたデジタルカメラの構成は図１に示され、第１の実施形態と同様の記録モード、再生モード、メニュー画面によるパラメータ設定の動作を行う。
【００４６】
第２の実施形態では、メニュー画面の表示を行っている場合に、ズームキー１２４を操作することで、選択されているメニュー項目に関するガイダンス情報表示の制御を行う。さらにガイダンス画面に表示する情報量が多く、一つの画面で表示できない場合、ズームキー１２４の操作で画面の切り替え制御を行う。図１、図４を用い、以下ガイダンス画面の切替制御について説明する。
【００４７】
図４は、本実施形態におけるメニュー画面である。本実施形態において、メニューキー１２５を操作して表示されるメインメニュー画面は第１の実施形態におけるメインメニュー画面と同じであるため、ここでは省略する。
【００４８】
サブメニュー画面４０１は撮影におけるシャッター速度の設定が操作キー１２６により選択されている状態である。この状態でズームキー１２４が望遠側に操作されたことをシステムコントローラ１２１が検出すると、システムコントローラ１２１はガイダンス情報の表示の制御を行う。このときガイダンス画面４０２となる。ガイダンス画面４０２では選択項目に関するガイダンス情報が画面のガイダンス表示領域４０２ａに表示される。
【００４９】
このとき、ガイダンス情報が画面のガイダンス表示領域４０２ａに入りきらない場合、一画面で表示できる量の情報を表示する。そして、ページ情報４０２ｂとして現在の画面枚数と全ガイダンス情報表示に必要な画面枚数の情報をガイダンス画面４０２内に表示する。
【００５０】
この状態でシステムコントローラ１２１がズームキー１２４が広角側に操作されたことを検出すると、ガイダンス情報の表示を終了しサブメニュー画面４０１に戻る。一方、望遠側に操作されたことを検出すると、ガイダンス画面４０２の続きのガイダンス情報の表示を行う。このときガイダンス画面４０３が表示される。以降、全ガイダンス情報の表示が完了するまで、望遠側への操作で、ガイダンス画面の送り表示が行われる。一方、ガイダンス画面４０３の表示中にズームキー１２４が広角側に操作されたことを検出すると、一画面前のガイダンス画面４０２を表示する。
【００５１】
以下、ズームキー操作によるガイダンス画面の送り／戻し表示における、システムコントローラ１２１の制御について、図５のフローチャートを用い説明する。
【００５２】
ステップＳ５０１でまず、ズームキーが操作されたか否かを検出する。ズームキーが所定期間以上操作された場合はステップＳ５０２へ進み、未操作または所定期間未満の操作であれば現状の表示状態を保持し終了する。
【００５３】
ステップＳ５０２では、ズームキーが望遠あるいは広角のいずれの側に操作されたかを検出する。望遠側（Ｔｅｌｅ）に操作された場合はステップＳ５０３へ、広角側（Ｗｉｄｅ）へ操作された場合はステップＳ５０６へ進む。
【００５４】
ステップＳ５０３では、ガイダンス画面のページ情報を示すページカウンタの値と選択されている項目におけるガイダンス情報をすべて表示する場合に必要なページ数（全ページ数）を比較する。比較した結果、ページカウンタの値が全ページ数より小さい場合は、ステップＳ５０４へ進む。ページカウンタの値が全ページ数に等しい場合は、現状の表示状態を保持し終了する。
【００５５】
ステップＳ５０４では、画面の送り処理のため、ページカウンタのインクリメントを行い、ステップＳ５０５へ進む。
【００５６】
ステップＳ５０５では、更新されたページカウンタの値に対応したガイダンス画面の表示データの生成を行い、生成した表示データへの画面更新の指示をＯＳＤ回路１１９に出力、終了する。
【００５７】
ステップＳ５０６では、ページカウンタの値が最初のページであるか否かを判断する。最初のページでない場合、ステップＳ５０７へ進む。最初のページの場合は、ステップＳ５０８へ進む。
【００５８】
ステップＳ５０７では、画面の戻り処理のため、ページカウンタのデクリメントを行い、ステップＳ５０５へ進む。
【００５９】
ステップＳ５０８では、表示中のガイダンス画面を終了し、通常のメニュー画面表示の表示データの生成を行い、生成した表示データへの画面更新の指示をＯＳＤ回路１１９に出力し、ステップＳ５０９へ進む。
【００６０】
ステップＳ５０９で、ページカウンタの値の初期化し、終了する。
【００６１】
本実施形態によれば、メニュー画面に表示される項目について、本体の表示装置に表示される画面を通じて、ガイダンス情報を得ることができる。これらのガイダンス画面は、記録モードや再生モードで使用する拡大・縮小処理に用いるズームキーを用い操作することで、ガイダンス表示のための操作スイッチを追加する必要がなく、コストや本体サイズに影響を与えることがない。また、情報量が多く、一画面で表示できない場合であっても、複数の画面に分割して全情報の表示を行うことが可能である。さらに、情報量の大小に依存せず常に同じ大きさの文字情報を利用できるため、情報量が多くなった場合に文字サイズを小さくして全情報を表示させる方法に比べ、視認性が高く、ユーザーの誤認識も少ない。
【００６２】
本実施形態におけるガイダンス画面の制御は、デジタルカメラへの利用にとどまらず、例えば、ＰＤＡ（Ｐｅｒｓｏｎａｌ  Ｄｉｇｉｔａｌ  Ａｓｓｉｓｔａｎｃｅ）や携帯電話などの小型の携帯端末に対しても有効である。このような携帯端末では、デジタルカメラ以上に小型化と多機能化が進んでおり、画像の拡大・縮小の可能な記録・再生機能が付加されている。そのため、キーＳＷの追加を行うことなく、本体の小型化を維持しつつ、ガイダンス画面の制御を行うことが可能となる。
【００６３】
（他の実施形態）
第１の実施形態では、ガイダンス画面２０５において、広角側への操作に応じてヘルプ終了となるよう制御したが、この操作に応じて、もう一度ガイダンス画面２０４に戻るように制御してもよい。
【００６４】
また、シャッター、ホワイトバランス、電子ズームといった設定項目ごとに、第１の実施形態の設定方法、第２の実施形態の設定方法の、いずれか適した方法を適用してもよいことは言うまでもない。
【００６５】
また、上記実施形態の設定方法を実現するためのプログラムを外部装置から供給し、デジタルカメラのシステムコントローラがこのプログラムを実行するようにしてもよい。
【００６６】
すなわち、本発明の目的は、前述した各実施形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００６７】
この場合、記憶媒体から読み出されたプログラムコード自体が本発明の新規な機能を実現することになり、そのプログラムコードを記憶した記憶媒体およびプログラムは本発明を構成することになる。
【００６８】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【００６９】
また、コンピュータが読み出したプログラムコードを実行することにより、前述した各実施形態の機能が実現されるだけでなく、そのプログラムコードの指示に基づき、コンピュータ上で稼動しているＯＳ（オペレーティングシステム）等が実際の処理の一部または全部を行い、その処理によって前述した各実施形態の機能が実現される場合も含まれる。
【００７０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施形態の機能が実現される場合も含まれる。
【図面の簡単な説明】
【００７１】
【図１】本発明の実施形態に係るデジタルカメラのブロック図
【図２】第１の実施形態におけるメニュー画面
【図３】第１の実施形態におけるシステムコントローラのフロー図
【図４】第２の実施形態におけるメニュー画面
【図５】第２の実施形態におけるシステムコントローラのフロー図
【符号の説明】
【００７２】
１２１  システムコントローラ
１２４  ズームキー
１２５  メニューキー
１２６  操作キー
２０１  メインメニュー画面
２０２、４０１  サブメニュー画面
２０３  パラメータ画面
２０４、２０５、４０２、４０３  ガイダンス画面
【図１】
0004777013.tif 000002
【図２】
0004777013.tif 000003
【図３】
0004777013.tif 000004
【図４】
0004777013.tif 000005
【図５】
0004777013.tif 000006